(57)【特許請求の範囲】
【請求項１】
上面を開口した上面開口部を有し、その上面開口部から装填した家庭用薄葉紙を収納する内箱と、
前面を開口した前面開口部を有し、その前面開口部から後面に向けて挿入した前記内箱を収容する外箱と、
を備え、
前記外箱は、その内部に収容した前記内箱の前記上面開口部を閉蓋する上面部を有し、
前記上面部には、前記内箱に収納した前記家庭用薄葉紙を外側に取り出す取出部が設けられており、
前記外箱に収容された前記内箱の前記上面開口部の縁と前記外箱の前記前面開口部の縁との隙間を塞ぐとともに、前記外箱に収容された前記内箱が前記外箱から引き出されることを阻止するストッパが、前記外箱と前記内箱の少なくとも一方に設けられ、
前記ストッパの解除に伴い、前記外箱から前記内箱を押し出す方向に付勢する付勢部材が、前記外箱の後面と前記内箱の間に設けられていることを特徴とする家庭用薄葉紙収納容器。
【請求項２】
前記外箱において対向する一対の側面には、前記前面開口部から前記後面に向かう案内部が設けられており、
前記内箱には、前記案内部と滑合する被案内部が設けられており、
前記内箱は、前記案内部に沿ってスライド移動することを特徴とする請求項１に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、家庭用薄葉紙を収納した内箱をスリーブ形状の外箱から引き出して、その内箱から家庭用薄葉紙を取り出すようになっている引き出し式の収納容器が知られている（例えば、特許文献１参照。）。
【先行技術文献】
【特許文献】
【０００３】
【特許文献１】特開平１０−３１６１８０号公報
【発明の概要】
【発明が解決しようとする課題】
【０００４】
しかしながら、上記従来技術の引き出し式収納容器の場合、詰め替え用の新たな家庭用薄葉紙を装填するには、外箱から引き出した内箱を開け、内箱の中に新たな家庭用薄葉紙を入れて内箱を閉じ、その内箱を外箱内に収めるように戻す手順を要するため、詰め替え作業に手間がかかるという問題があった。
【０００５】
本発明の目的は、家庭用薄葉紙の詰め替えを容易に行うことができる家庭用薄葉紙収納容器を提供することである。
【課題を解決するための手段】
【０００６】
以上の課題を解決するため、請求項１に記載の発明は、家庭用薄葉紙収納容器であって、
上面を開口した上面開口部を有し、その上面開口部から装填した家庭用薄葉紙を収納する内箱と、
前面を開口した前面開口部を有し、その前面開口部から後面に向けて挿入した前記内箱を収容する外箱と、
を備え、
前記外箱は、その内部に収容した前記内箱の前記上面開口部を閉蓋する上面部を有し、
前記上面部には、前記内箱に収納した前記家庭用薄葉紙を外側に取り出す取出部が設けられており、
前記外箱に収容された前記内箱の前記上面開口部の縁と前記外箱の前記前面開口部の縁との隙間を塞ぐとともに、前記外箱に収容された前記内箱が前記外箱から引き出されることを阻止するストッパが、前記外箱と前記内箱の少なくとも一方に設けられ、
前記ストッパの解除に伴い、前記外箱から前記内箱を押し出す方向に付勢する付勢部材が、前記外箱の後面と前記内箱の間に設けられていることを特徴とする。
【０００７】
請求項２に記載の発明は、請求項１に記載の家庭用薄紙収納容器において、
前記外箱において対向する一対の側面には、前記前面開口部から前記後面に向かう案内部が設けられており、
前記内箱には、前記案内部と滑合する被案内部が設けられており、
前記内箱は、前記案内部に沿ってスライド移動することを特徴とする。
【発明の効果】
【０００９】
請求項１に記載の発明によれば、外箱から引き出した内箱に家庭用薄葉紙を装填して、その内箱を外箱に挿入するように押し込んで収容することで、外箱の上面部が内箱の上面開口部を閉蓋するようになっているので、家庭用薄葉紙の詰め替え作業を容易に行うことができる。
そして、詰め替えを終えた後、外箱の取出部から家庭用薄葉紙を取り出して使用することができる。
また、ストッパを解除することに伴い、付勢部材が内箱を外箱から押し出すので、その押し出された内箱を外箱から引き出しやすくなる。
【００１０】
請求項２に記載の発明によれば、内箱の被案内部は外箱の案内部と滑合するようになっており、内箱は外箱の案内部に沿って滑らかにスライド移動して進退するので、内箱を外箱から容易に引き出すことができ、また容易に押し込むことができる。
【図面の簡単な説明】
【００１２】
【図１】本発明にかかる家庭用薄葉紙収納容器の上蓋が閉じた状態を示す斜視図である。
【図２】本発明にかかる家庭用薄葉紙収納容器の上蓋が開いた状態を示す斜視図である。
【図３】本発明にかかる家庭用薄葉紙収納容器を分解して示す斜視図である。
【図４】本発明を適用した異なる実施形態として例示する家庭用薄葉紙収納容器の側面図である。
【発明を実施するための形態】
【００１３】
以下、図を参照して、本発明に係る家庭用薄葉紙収納容器の具体的な態様を詳細に説明する。ただし、発明の範囲は、図示例に限定されない。
【００１４】
図１は、本発明を適用した好適な実施形態として例示する家庭用薄葉紙収納容器１００の閉状態を示す斜視図であり、図２は、家庭用薄葉紙収納容器１００の開状態を示す斜視図である。図３は、家庭用薄葉紙収納容器１００を分解して示す斜視図である。
【００１５】
家庭用薄葉紙収納容器１００は、例えば、図１〜図３に示すように、上面を開口した上面開口部１３を有し、その上面開口部１３から装填した家庭用薄紙Ｐを内部に収納する内箱１０と、前面を開口した前面開口部２１を有し、その前面開口部２１から後面（後面部２２）に向けて挿入して押し込んだ内箱１０を内部に収容する外箱２０と、を備えている。
なお、以下の説明では、外箱２０から内箱１０を引き出す前後方向をＸ軸方向として、前面開口部２１が形成されている側を前側とし、その反対側の後面部２２側を後側とする。また、左右方向をＹ軸方向とし、上下方向をＺ軸方向とする。
【００１６】
外箱２０は、例えば、図１〜図３に示すように、その前面に前面開口部２１が形成されている筐体であり、前面開口部２１に相当する前面と対向する配置の後面部２２と、その内部に収容した内箱１０の上面開口部１３を閉蓋する上面部２３と、上面部２３と対向する底面部２４と、左右方向に対向する一対の側面部２５，２５と、を有している。
この外箱２０は、例えば、ＰＥ（ポリエチレン）やＰＰ（ポリプロピレン）、或いはＰＥＴ（ポリエチレンテレフタレート）、ＡＢＳ樹脂等から形成されている。
【００１７】
上面部２３には、内箱１０に収納されている家庭用薄紙Ｐを外側に取り出すための取出部２６と、取出部２６を開閉するための上蓋２７と、が設けられている。
取出部２６の略中央には、例えば、スリット状の開口である取出口２６１が形成されている。その取出口２６１の周囲には、上方に延出した密閉環部２６２が形成されている。
取出口２６１は、連続して引き出し可能に折り畳まれて積層されている家庭用薄葉紙Ｐを引き出す際に、家庭用薄葉紙Ｐの継ぎ目で家庭用薄葉紙Ｐ同士を分離する機能を果たす。更に、取出口２６１は、先の家庭用薄葉紙Ｐが引き出された後に、次の家庭用薄葉紙Ｐを挟んで保持する機能を果たす。
【００１８】
上蓋２７は、例えば、外箱２０と一体に成形されたものである。上蓋２７と外箱２０の上面部２３との境界には、肉薄部２７１がＸ軸方向に沿って直線状に形成されており、この肉薄部２７１を回動軸として上蓋２７が回動することにより、上面部２３における取出口２６１が開閉するようになっている。
また、上蓋２７の内面には、上蓋２７が取出部２６を閉蓋する状態で下方に延出した密閉環部２７２が形成されている。この上蓋２７が回動して取出部２６を閉蓋した際、上蓋２７の密閉環部２７２の内周面が、取出部２６の密閉環部２６２の外周面に嵌合するようになっている。これにより、容器内の気密性を高め、容器内に収納したウェットタイプの家庭用薄葉紙Ｐの乾燥を防止することができる。また、容器内に異物などが混入してしまうことを防ぎ、内部に収納されている家庭用薄葉紙Ｐの汚染を防止することができる。
【００１９】
また、上面部２３における前面開口部２１側には、例えば、Ｙ軸方向に沿う肉薄部２８１を有するストッパ２８が、上蓋２７と同様に回動可能に設けられている。
このストッパ２８が肉薄部２８１を回動軸として回動し、肉薄部２８１とは反対側の自由端部を容器の前面に配した状態で、ストッパ２８は外箱２０の内部に収容した内箱１０の前面部１１に係合するようになっている。これにより、ストッパ２８は、内箱１０が外箱２０から引き出されることを阻止するようになっている。
また、ストッパ２８は、外箱２０の前面開口部２１の縁と、内箱１０の上面開口部１３の縁との隙間を塞ぐようにして容器内の気密性を高め、容器内に収納したウェットタイプの家庭用薄葉紙Ｐの乾燥を低減することができる。また、容器内に異物などが混入してしまうことを防ぎ、内部に収納されている家庭用薄葉紙Ｐの汚染を低減することができる。
【００２０】
また、外箱２０における一対の側面部２５，２５の内壁側には、前面開口部２１から後面部２２に向かってＸ軸方向に延在する案内部としてのレール部２５１，２５１が設けられている。
【００２１】
内箱１０は、例えば、図１〜図３に示すように、その上面に上面開口部１３が形成されている筐体であり、上面開口部１３に相当する上面と対向する配置の底面部１４と、外箱２０に収容された状態で前面開口部２１から露出する前面部１１と、その前面部１１と対向する後面部１２と、左右方向に対向する一対の側面部１５，１５と、を有している。
この内箱１０は、例えば、ＰＥ（ポリエチレン）やＰＰ（ポリプロピレン）、或いはＰＥＴ（ポリエチレンテレフタレート）、ＡＢＳ樹脂等から形成されている。
【００２２】
内箱１０における一対の側面部１５，１５の外壁側には、前面部１１から後面部１２に向かってＸ軸方向に延在する被案内部としてのレール溝１５１，１５１が設けられている。
この内箱１０のレール溝１５１，１５１は、外箱２０のレール部２５１，２５１と滑合するようになっており、内箱１０は、外箱２０のレール部２５１に沿ってスライド移動することで滑らかに進退して、外箱２０に押し込まれたり、外箱２０から引き出されたりするようになっている。
【００２３】
また、内箱１０の後面部１２の外壁側には、付勢部材であるバネ部材１８が設けられている。そのバネ部材１８の一端部は、内箱１０が挿入された外箱２０内で、外箱２０の後面部２２の内壁に当接するようになっている。
バネ部材１８は、外箱２０に内箱１０を収容して、外箱２０のストッパ２８を内箱１０の前面部１１に係合させた状態で収縮されており、内箱１０を押し出す方向に付勢している。そして、ストッパ２８を回動させて内箱１０の前面部１１から退避させることによるストッパ２８の解除に伴い、バネ部材１８が伸長することで、外箱２０から内箱１０が押し出されるようになっている。バネ部材１８によって外箱２０から僅かでも内箱１０が押し出されれば、内箱１０の前面部１１の内壁に指をかけるなどして、ユーザは容易に内箱１０を外箱２０から引き出すことができる。
なお、このバネ部材１８は、外箱２０の後面部２２の内壁側に設けられて、内箱１０の後面部１２の外壁に当接するようになっていてもよい。
【００２４】
家庭用薄葉紙Ｐの積層体は、例えば、図３に示すように、略直方体形状を呈するガゼット袋と称される内袋３０に封入されている。
そして、家庭用薄葉紙Ｐは、その内袋３０ごと内箱１０内に装填されて、家庭用薄葉紙収納容器１００に収納される。
【００２５】
以上のように、本発明に係る家庭用薄葉紙収納容器１００は、ストッパ２８を解除することに伴い、バネ部材１８を伸長させて、外箱２０から内箱１０を押し出すことができるので、その外箱２０から押し出された内箱１０を引き出して、家庭用薄葉紙Ｐの詰め替えを行うことができる。
そして、新たな家庭用薄葉紙Ｐが装填された内箱１０を外箱２０に挿入して、ストッパ２８を内箱１０の前面部１１に係合させて外箱２０の内部に内箱１０を収容すれば、家庭用薄葉紙Ｐの詰め替え作業が完了し、取出部２６（取出口２６１）から家庭用薄葉紙Ｐを取り出し可能になる。
つまり、この家庭用薄葉紙収納容器１００において家庭用薄葉紙Ｐの詰め替えを行う場合、外箱２０から内箱１０を引き出す、内箱１０に新たな家庭用薄葉紙Ｐを装填する、内箱１０を外箱２０に挿入する、といった具合に主に３つの手順で家庭用薄葉紙Ｐの詰め替え作業が完了するので、家庭用薄葉紙Ｐの詰め替えを容易に行うことができる。
【００２６】
特に、外箱２０のレール部２５１，２５１に、内箱１０のレール溝１５１，１５１を位置合わせすることによって、外箱２０に内箱１０を挿入しやすくなっているので、家庭用薄葉紙Ｐを詰め替える際に外箱２０と内箱１０を分解しても、家庭用薄葉紙収納容器１００を容易に組み立てることができる。
また、レール部２５１，２５１とレール溝１５１，１５１とが滑合することによって、内箱１０を外箱２０から引き出すことや、内箱１０を外箱２０に押し込むことを容易に行うことができる。
【００２７】
なお、本発明は上記実施形態に限られるものではない。
例えば、図４に示すように、内箱１０の前面部１１に把持部１１ａを設け、内箱１０のレール溝１５１に対し回転可能に当接する複数のローラ２５１ａを外箱２０のレール部２５１に設けてもよい。外箱２０のレール部２５１に設けたローラ２５１ａ上を内箱１０が進退する際、レール溝１５１に当接しているローラ２５１ａが回転することで、内箱１０は外箱２０のレール部２５１に沿って滑らかにスライド移動することができる。
このような家庭用薄葉紙収納容器１０１であれば、バネ部材１８を用いることなく、把持部１１ａを掴んで内箱１０を外箱２０から容易に引き出すことができる。そして、家庭用薄葉紙Ｐの詰め替えを容易に行うことができる。
【００２８】
また、図４に示すように、内箱１０の上面開口部１３の縁に平板状の磁石１３ａを設け、外箱２０の前面開口部２１の縁に鉄板などの磁性体２３ａを設けることで、外箱２０に内箱１０を挿入した際に、前面開口部２１の縁と上面開口部１３の縁とを密着させてその隙間を塞ぐことができる。
このような家庭用薄葉紙収納容器１０１であれば、外箱２０の前面開口部２１の縁と、内箱１０の上面開口部１３の縁との隙間を塞ぐようにして容器内の気密性を高め、容器内に収納したウェットタイプの家庭用薄葉紙Ｐの乾燥を低減することができる。また、容器内に異物などが混入してしまうことを防ぎ、内部に収納されている家庭用薄葉紙Ｐの汚染を低減することができる。
なお、内箱１０の上面開口部１３の縁に磁性体を設け、外箱２０の前面開口部２１の縁に磁石を設けてもよい。
【００２９】
なお、以上の実施の形態においては、外箱２０にレール部２５１を設け、内箱１０にレール溝１５１を設けるとしたが、本発明はこれに限定されるものではなく、外箱２０にレール溝を設け、内箱１０にレール部を設けるようにしてもよい。
【００３０】
また、付勢部材はバネ部材１８であることに限らず、スポンジ材料やゴム材料からなる伸縮可能な部材であってもよい。
【００３１】
また、上蓋２７やストッパ２８は、外箱２０と一体に成形することに限らず、別体として成形したものを、軸着したり接着したりして配設してもよい。
【００３２】
また、その他、具体的な細部構造等についても適宜に変更可能であることは勿論である。
【符号の説明】
【００３３】
１０    内箱
１１    前面部
１２    後面部
１３    上面開口部
１５    側面部
１５１  レール溝（被案内部）
１８    バネ部材（付勢部材）
２０    外箱
２１    前面開口部
２２    後面部
２３    上面部
２５    側面部
２５１  レール部（案内部）
２６    取出部
２７    上蓋
２８    ストッパ
３０    内袋
Ｐ      家庭用薄葉紙
１００、１０１  家庭用薄葉紙収納容器
【図１】
0005629141.tif 000002
【図２】
0005629141.tif 000003
【図３】
0005629141.tif 000004
【図４】
0005629141.tif 000005